(57)【要約】【課題】海上において長期間、所定の操業を行う操業体１に対して電子化されたコンテンツＣＴを簡便に供給するシステムを提供する。【解決手段】海上おいて所定の操業を行う操業体１（漁船ＦＢ）と、これら操業体１と港２との間を往復する運搬船３（ＴＢ）とを備え、操業体１及び運搬船３（ＴＢ）にはコンピュータＰＣを各別に設け、運搬船３（ＴＢ）が港２に寄港したときに電子化されたコンテンツＣＴを情報伝達手段により受け取る段階と、該コンテンツＣＴを運搬船３（ＴＢ）のコンピュータ４に記憶する段階と、海上において、運搬船３（ＴＢ）のコンピュータ４と操業体１（漁船ＦＢ）のコンピュータ５との間でＬＡＮを構築する段階と、該ＬＡＮにより、操業体１（漁船ＦＢ）が運搬船３（ＴＢ）から上記コンテンツＣＴを受け取る段階とを有する。【選択図】    図１
2005014770.tif 000002
【特許請求の範囲】
【請求項１】
海上おいて所定の操業を行う操業体（１）と、これら操業体（１）が待つ海上と港（２）との間を往復する運搬船（３）とを備え、
操業体（１）及び運搬船（３）にはコンピュータ（５、４）を各別に設け、
運搬船（３）が港（２）に寄港したときに電子化されたコンテンツ（ＣＴ）を情報伝達手段により受け取る段階と、
該コンテンツ（ＣＴ）を運搬船（３）のコンピュータ（４）に記憶する段階と、
海上において、運搬船（３）のコンピュータ（４）と操業体（１）のコンピュータ（５）との間でＬＡＮ（Ｌｏｃａｌ  Ａｒｅａ  Ｎｅｔｗｏｒｋ）を構築する段階と、
該ＬＡＮにより、操業体（１）が運搬船（３）から上記コンテンツ（ＣＴ）を受け取る段階とを、有する、ことを特徴とする海上の操業体に対するコンテンツの供給システム。
【請求項２】
海上おいて所定の操業を行う操業体（１）と、これら操業体（１）が待つ海上と港（２）との間を往復する運搬船（３）とを備え、
操業体（１）及び運搬船（３）にはコンピュータ（５、４）を各別に設け、
運搬船（３）が港（２）に寄港したときに電子化されたコンテンツ（ＣＴ）を情報伝達手段により交換する段階と、
該コンテンツ（ＣＴ）を運搬船（３）のコンピュータ（４）に記憶する段階と、
海上において、運搬船（３）のコンピュータ（４）と操業体（１）のコンピュータ（５）との間でＬＡＮ（Ｌｏｃａｌ  Ａｒｅａ  Ｎｅｔｗｏｒｋ）を構築する段階と、
該ＬＡＮにより、操業体（１）が運搬船（３）から上記コンテンツ（ＣＴ）を交換する段階とを、有する、ことを特徴とする海上の操業体に対するコンテンツの供給システム。
【請求項３】
海上で操業する操業体（１）が漁船団（ＦＦ）の漁船（ＦＢ）であり、運搬船（３）が主に漁船（ＦＢ）が収穫した漁獲物を港（２）に運搬する運搬船（３）である、ことを特徴とする請求項１又は請求項２に記載した海上の操業体に対するコンテンツの供給システム。
【請求項４】
運搬船（３）が寄港する港（２）に所定のコンピュータが設けられ、
運搬船（３）が港（２）に寄港したときに、運搬船（３）のコンピュータ（４）と港（２）のコンピュータとの間でＬＡＮ（Ｌｏｃａｌ  Ａｒｅａ  Ｎｅｔｗｏｒｋ）を構築し、
該ＬＡＮが、運搬船（３）が港（２）において上記コンテンツ（ＣＴ）を受け取る情報伝達手段である、ことを特徴とする請求項１、請求項２又は請求項３に記載した海上の操業体に対するコンテンツの供給システム。
【請求項５】
運搬船（３）が寄港した港（２）において、運搬船（３）のコンピュータ（４）と港（２）のコンピュータとの間で構築されるＬＡＮ（Ｌｏｃａｌ  Ａｒｅａ  Ｎｅｔｗｏｒｋ）が無線型ＬＡＮである、ことを特徴とする請求項４に記載した海上の操業体に対するコンテンツの供給システム。
【請求項６】
海上において、運搬船（３）のコンピュータ（４）と操業体（１）のコンピュータ（５）との間で構築されるＬＡＮ（Ｌｏｃａｌ  Ａｒｅａ  Ｎｅｔｗｏｒｋ）が無線型ＬＡＮである、ことを特徴とする請求項１、請求項２、請求項３、請求項４又は請求項５に記載した海上の操業体に対するコンテンツの供給システム。
【請求項７】
運搬船（３）のコンピュータ（４）と漁船（ＦＢ）のコンピュータとの間で構築されるＬＡＮ（Ｌｏｃａｌ  Ａｒｅａ  Ｎｅｔｗｏｒｋ）がサーバ型ＬＡＮであり、運搬船（３）のコンピュータ（４）がサーバコンピュータ（ｓｅｒｖｅｒ  ｃｏｍｐｕｔｅｒ）として、各漁船（ＦＢ）のコンピュータ（５）がクライアントコンピュータ（ｃｌｉｅｎｔ  ｃｏｍｐｕｔｅｒ）としてそれぞれ機能し、
上記サーバコンピュータにサイトを開設して、各クライアントコンピュータが上記サーバコンピュータのサイトを閲覧して、所定のコンテンツ（ＣＴ）を受け取るようにした、ことを特徴とする請求項１、請求項２、請求項３、請求項４、請求項５又は請求項６に記載した海上の操業体に対するコンテンツの供給システム。
【発明の詳細な説明】
【０００１】
【発明の属する技術分野】
本発明は、海上において長期間、所定の操業を行う操業体１に対して電子化されたコンテンツＣＴを簡便に供給する海上の操業体１に対するコンテンツＣＴの提供システムに関する。
【０００２】
【従来の技術】
海上において長期間、操業する操業体には、たとえば、遠洋で行う遠洋漁業或いは近海で行う近海漁業の漁船団における漁船がある。
【０００３】
このような漁船団は、１〜数ヶ月の間、海上において漁業を行う数隻の漁船と、これら漁船が収穫した漁獲物を所定の港まで運搬するとともに上記漁船に生活物資を運搬する運搬船と、から構成される。
【０００４】
遠洋漁業又は近海漁業に従事する船員にとって、得たい情報は多種多様なものがある。
【０００５】
たとえば、最新のニュースは勿論のこと、家族などからの手紙、或いは新しい映画、音楽などのコンテンツも、長期間、海上で従事する船員にとって得たい情報である。
【０００６】
そこで、従来、これら各種コンテンツ（ニュース、映画、音楽など）は、通常、運搬船が港に寄港したときに、生活物資とともに新聞、雑誌、ビデオテープ、音楽用記録ディスクなどの物品を運搬船に積み込み、これを漁船団が待つ海上に戻ったときに、各漁船に受け渡すことが行われている。
【０００７】
【発明が解決しようとする課題】
しかしながら、このような新聞、雑誌、ビデオテープ、記録ディスクなどは海上の操業体（漁船）の従事者（船員）からあらかじめ受注しておいたものでしかない。たとえば、「Ａ」というタイトルのビデオテープを発注した者は、「Ａ」というタイトルのビデオテープしか入手することができず、最早選択の余地はない。ところが、発注後、別のタイトルのビデオテープを見たくなる場合もある。また、別のタイトルが思い浮かばなくても、多数のものを見せられれば、その中から選択することにより「見てみたい」という欲求を満足させることができる場合もある。
【０００８】
このように、従来はあらかじめ発注した物品しか入手できず、従事者の潜在的な欲求を満たすことはできないという問題があった。
【０００９】
また、特に、新聞、雑誌などの物品は、所定の容積、重量を有し、運搬には多大な労力を有するという問題がある。
【００１０】
なお、これらの新聞、雑誌、ビデオテープ、記録ディスクなど内容（コンテンツ）は、たとえば、漁船に通信端末機を搭載し、衛星デジタル通信サービスによりこれらのコンテンツの配信を受けるということも考えられる。
【００１１】
しかし、衛星デジタル通信サービスでの通信は高額であるとともに、通信速度が遅いという問題があり、実際には、緊急時の連絡などにしか使用されていないのが現状である。
【００１２】
本発明は、かかる問題点を解決するために創案されたものである。すなわち、本発明の目的は、長期間海上で操業する操業体（漁船）の従事者（船員）の潜在的な欲求を満足させることができるとともに、運搬を簡便にするできる海上の操業体に対するコンテンツの供給システムを提供することにある。
【００１３】
【課題を解決するための手段】
上記課題を解決するため、本発明海上の操業体に対するコンテンツの供給システムは、海上おいて所定の操業を行う操業体（１）と、これら操業体（１）が待つ海上と港（２）との間を往復する運搬船（３）とを備え、操業体（１）及び運搬船（３）にはコンピュータを各別に設け、運搬船（３）が港（２）に寄港したときに電子化されたコンテンツ（ＣＴ）を情報伝達手段により受け取る段階と、該コンテンツ（ＣＴ）を運搬船（３）のコンピュータ（４）に記憶する段階と、海上において、運搬船（３）のコンピュータ（４）と操業体（１）のコンピュータ（５）との間でＬＡＮを構築する段階と、該ＬＡＮにより、操業体（１）が運搬船（３）から上記コンテンツ（ＣＴ）を受け取る段階とを、有することを特徴とする。
【００１４】
この本発明海上の操業体に対するコンテンツの供給システムによれば、海上において運搬船（３）から操業体（１）に電子化したコンテンツ（ＣＴ）を受け渡すようにしたので、従来の新聞、雑誌などによる情報量に比較して大量の情報を受け渡すことができる。また、このことは、操業体（１）の従事者が発注したものより遙かに大量のコンテンツ（ＣＴ）を提示することができ、上記従事者は提示されたコンテンツ（ＣＴ）の中から自分が欲するもののみを選択することができ、従事者の潜在的な欲求を満たすことができる。
【００１５】
また、別の本発明海上の操業体に対するコンテンツの供給システムは、海上おいて所定の操業を行う操業体（１）と、これら操業体（１）が待つ海上と港（２）との間を往復する運搬船（３）とを備え、操業体（１）及び運搬船（３）にはコンピュータ（５、４）を各別に設け、運搬船（３）が港（２）に寄港したときに電子化されたコンテンツ（ＣＴ）を情報伝達手段により交換する段階と、該コンテンツ（ＣＴ）を運搬船（３）のコンピュータ（４）に記憶する段階と、海上において、運搬船（３）のコンピュータ（４）と操業体（１）のコンピュータ（５）との間でＬＡＮ（Ｌｏｃａｌ  Ａｒｅａ  Ｎｅｔｗｏｒｋ）を構築する段階と、該ＬＡＮにより、操業体（１）が運搬船（３）から上記コンテンツ（ＣＴ）を交換する段階とを、有することを特徴とする。
【００１６】
この別の本発明海上の操業体に対するコンテンツの供給システムによれば、従来の新聞、雑誌などによる情報量に比較して大量の情報を受け渡すことができ、操業体（１）の従事者が発注したものより遙かに大量のコンテンツ（ＣＴ）を提示することができるため、上記従事者は提示されたコンテンツ（ＣＴ）の中から自分が欲するもののみを選択することができ、従事者の潜在的な欲求を満たすことができるとともに、従事者側からも電子メール文、或いはデジタルカメラで撮影した画像データなどを運搬船（３）のコンピュータ（４）に送信することができ、双方向の通信が可能となる。
【００１７】
また、電子化したコンテンツ（ＣＴ）を操業体（１）の従事者に提供するため、新聞、雑誌などのような物品のように所定の容積、重量がなく、運搬に多大な労力を必要とすることがない。
【００１８】
さらに、衛星デジタル通信サービスを使用しないので、安価に、かつ、迅速に所望のコンテンツ（ＣＴ）を提供することができる。
【００１９】
海上で操業する操業体（１）が漁船団（ＦＦ）の漁船（ＦＢ）であり、運搬船（３）が主に漁船（ＦＢ）が収穫した漁獲物を港（２）に運搬する運搬船（３）であるようにすると、漁船（ＦＢ）の船員に対して大量のコンテンツ（ＣＴ）を供給することができ、漁船（ＦＢ）内における生活環境の改善に貢献することができる。
【００２０】
運搬船（３）が寄港する港（２）に所定のコンピュータが設けられ、運搬船（３）が港（２）に寄港したときに、運搬船（３）のコンピュータ（４）と港（２）のコンピュータとの間でＬＡＮを構築し、該ＬＡＮが、運搬船（３）が港（２）において上記コンテンツ（ＣＴ）を受け取る情報伝達手段であるようにすると、港（２）に設けられたコンピュータと運搬船（３）のコンピュータ（４）との間でなされるコンテンツ（ＣＴ）の伝達を容易に行うことができる。
【００２１】
運搬船（３）が寄港した港（２）において、運搬船（３）のコンピュータ（４）と港（２）のコンピュータとの間で構築されるＬＡＮが無線型ＬＡＮであるようにすると、港（２）に設けられたコンピュータと運搬船（３）のコンピュータ（４）との間でなされるコンテンツ（ＣＴ）の伝達をさらに容易に行うことができる。
【００２２】
海上において、運搬船（３）のコンピュータ（４）と操業体（１）のコンピュータ（５）との間で構築されるＬＡＮが無線型ＬＡＮであるようにすると、運搬船（３）に設けられたコンピュータ（４）と漁船（ＦＢ）のコンピュータ（５）との間でなされるコンテンツ（ＣＴ）の伝達を容易に行うことができる。
【００２３】
運搬船（３）のコンピュータ（４）と漁船（ＦＢ）のコンピュータとの間で構築されるＬＡＮがサーバ型ＬＡＮであり、運搬船（３）のコンピュータ（４）がサーバコンピュータ（ｓｅｒｖｅｒ  ｃｏｍｐｕｔｅｒ）として、各漁船（ＦＢ）のコンピュータ（５）がクライアントコンピュータ（ｃｌｉｅｎｔ  ｃｏｍｐｕｔｅｒ）としてそれぞれ機能し、上記サーバコンピュータにサイトを開設して、各クライアントコンピュータが上記サーバコンピュータのサイトを閲覧して、所定のコンテンツ（ＣＴ）を受け取るようにすることにより、各漁船（ＦＢ）の船員が要求するコンテンツ（ＣＴ）のみを伝達することができ、伝達する情報量の適正化を図ることができ、より迅速な伝達を行うことができる。
【００２４】
【発明の実施の形態】
以下、本発明の好ましい各実施の形態を図面を参照して説明する。図１乃至図４は実施の形態を説明するための概略図である。
【００２５】
この実施の形態にかかる海上の操業体に対するコンテンツの供給システムは、海上おいて所定の操業を行う操業体１と、これら操業体１と港２との間を往復する運搬船３とを備え、操業体１及び運搬船３にはコンピュータを各別に設け、運搬船３が港２に寄港したときに電子化されたコンテンツＣＴを情報伝達手段により受け取る段階と、該コンテンツＣＴを運搬船３のコンピュータ４に記憶する段階と、海上において、運搬船３のコンピュータ４に記憶された上記コンテンツＣＴを情報伝達手段により操業体１のコンピュータ５に受け渡す段階とを、有する（図１参照）。
【００２６】
操業体１としては、漁船団ＦＦにおける漁船ＦＢや海底油田を採掘する油田基地、海底ガス田を採掘するガス田基地などの海上の油田、ガス田基地設備などがある。操業体１が漁船ＦＢである場合、その所定の操業とは文字通り「漁業」であり、また、操業体１が海上の油田、ガス田などの基地設備である場合には、その所定の操業とは、油田の採掘、ガス田の採掘となる。
【００２７】
運搬船３は、操業体１に対して生活物資などを港２から運搬することが主な目的であり、その船舶の大きさ、形態などについては限定されるものではない。また、後述する実施例にかかる漁船団ＦＦにおける運搬船ＴＢにあっては、生活物資の運搬の他、漁船ＦＢにより収穫した漁獲物を港２に運搬することをその業務にする。なお、運搬船３は、母船漁業において仲積船を含む概念である。
【００２８】
操業体１に設けるコンピュータＣとしては、パーソナルコンピュータ（ＰＣ：Ｐｅｒｓｏｎａｌ  Ｃｏｍｐｕｔｅｒ）が主であるが、電子化された情報（コンテンツＣＴ）の受け渡しが可能な通信端末機などでも良い。
【００２９】
運搬船３に設けるコンピュータＣとしては、上記操業体１に設けるコンピュータＣと同様にパーソナルコンピュータＰＣが考えられるが、より多くの情報を記憶するためには、いわゆるワークステーションＷＳの方が好ましい。
【００３０】
また、コンテンツＣＴとしては、たとえば、ニュース（一般ニュース、スポーツニュース、経済ニュースなど）、気象情報、水産庁からの情報、ＴＶ番組、映画、音楽、各種教材、電子ブック（ｅ−ｂｏｏｋ）などが考えられる。これらのコンテンツＣＴは操業体１で従事する従事者共通のコンテンツＣＴとして提供される。この他、特定人向けに、電子メール（ｅ−ｍａｉｌ）、ビデオレターなどを電子化してコンテンツＣＴとし、これらを所定の人のみに、提供（配信）するようにしても良い。
【００３１】
特に、近年、パーソナルコンピュータＰＣ或いは携帯電話機による電子メールの授受が一般化しているが、操業体１の従事者がメールサーバで受けた電子メールを海上において直接受信することができない。このような電子メールを上記コンテンツＣＴに含めることにより、従事者が海上において自分への電子メールを読むことができる。
【００３２】
また、従事者は受け取った電子メールに対する返信または新規に電子メールを送信したい、或いはデジタルカメラで撮影した画像データなどを送りたい場合もあり、その場合は、従事者側からも電子メール文或いは画像データをコンテンツＣＴとしてこれを運搬船３に受け渡す。そして、運搬船３により上記港２まで搬送し、これを該港２に渡して、そこからインターネット上に送信するようにすることもできる。すなわち、運搬船３と操業体１との間においては、コンテンツＣＴを交換する（受け渡す）ことになる。
【００３３】
電子化されたコンテンツＣＴを情報伝達手段により受け取る段階としては（図２参照）、電子化されたコンテンツＣＴを記憶媒体に記録したもの、たとえば、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）、ＭＯ（Ｍａｇｎｅｔｏ  Ｏｐｔｉｃａｌ  ｄｉｓｋ）などを港２から受け取ることが考えられる。或いはコンピュータに設けられるＨＤＤ（Ｈａｒｄ  Ｄｉｓｋ  Ｄｒｉｖｅ）を脱着型とし、新規コンテンツＣＴを記録したＨＤＤを港２に用意しておき、該ＨＤＤと運搬船３のコンピュータ４のＨＤＤとを交換するようにしても良い。なお、上記記憶媒体は、ディスク状記憶媒体に限らず、テープ状記憶媒体、或いはフラッシュメモリタイプの記録メディアであっても良い。現時点では記憶容量が少ないが、コンパクトフラッシュ（ＣＦ：ＣｏｍｐａｃｔＦｌａｓｈ：サンディスク  コーポレイションの登録商標  ）、スマートメディア（ＳＭ：ＳｍａｒｔＭｅｄｉａ：株式会社東芝の登録商標）も将来的には考えられる記憶媒体である。
【００３４】
また、港２にコンピュータＣを設け、該港２のコンピュータＣと運搬船３のコンピュータ４とを有線又は無線で接続して上記コンテンツＣＴを伝送することにより、電子化されたコンテンツＣＴを運搬船３のコンピュータＣで受け取るようにしても良い。
【００３５】
上記コンテンツＣＴを運搬船３のコンピュータ４に記憶する段階としては（図３参照）、たとえば、上記各種記憶媒体の場合には、コンテンツＣＴが記憶された記憶媒体を運搬船３のコンピュータ４の対応するドライブ装置に装填して、記憶されたコンテンツＣＴを当該コンピュータＣでアクセス可能にすることが考えられる。また、上記各種記憶媒体を対応するドライブ装置に装填後、これに記憶されたコンテンツＣＴを当該コンピュータ内のＨＤＤなどに転送し、記憶するようにしても良い。
【００３６】
さらに、脱着式のＨＤＤを交換する場合には、交換したＨＤＤを運搬船３のコンピュータ４に装填すればよい。またさらに、上述した有線又は無線によりコンテンツＣＴを伝送する場合には、伝送と同時に運搬船３のコンピュータ４にコンテンツＣＴが記憶されることになる。
【００３７】
海上において、運搬船３のコンピュータ４と操業体１のコンピュータ５との間でＬＡＮを構築する段階には（図４参照）、たとえば、無線によるＬＡＮが考えられる。なお、無線型ＬＡＮは一般に、Ｅｔｈｅｒｎｅｔ規格の一部である「ＩＥＥＥ  ８０２．１１ｂ」規格或いは「ＩＥＥＥ  ８０２．１１ａ」規格のことを指す場合が多いが、いわゆるブルートゥース（Ｂｌｕｅｔｏｏｔｈ：ザ  ブルートゥース  エスアイジー  インコーポレーテッド  の登録商標）であっても良いし、また、赤外線通信（ＩｒＤＡ：Ｉｎｆｒａｒｅｄ  Ｄａｔａ  Ａｓｓｏｃｉａｔｉｏｎ）であっても良い。
【００３８】
このＬＡＮは運搬船３のコンピュータ４に記憶されたコンテンツＣＴを操業体１のコンピュータ５に転送するための手段であり、無線型ＬＡＮに限らず、有線型のＬＡＮであっても良いことは勿論である。
【００３９】
また、ＬＡＮの形態としは、サーバ型ＬＡＮでも、Ｐｅｅｒ  ｔｏ  Ｐｅｅｒ型ＬＡＮであっても良い。操業体１が複数の場合にはＬＡＮの形態をサーバ型ＬＡＮとし、運搬船３のコンピュータ４をサーバコンピュータとし、操業体１のコンピュータ５をクライアントコンピュータとすることが好ましい。
【００４０】
ＬＡＮにより、操業体１のコンピュータ５が運搬船３のコンピュータ４から上記コンテンツＣＴを受け取る段階とは、たとえば、両コンピュータ４、５間で構築されたＬＡＮ内で運搬船３のコンピュータ４に記憶されたコンテンツＣＴを共通リソースとして、操業体１のコンピュータ５からのアクセスによりに操業体１のコンピュータ５内に上記コンテンツＣＴを受け取ることが考えられる。このほか、運搬船３のコンピュータ４において、所定のサイトを開設し、該サイトに操業体１のコンピュータ５からアクセスして、上記コンテンツＣＴを操業体１のコンピュータ５で受け取ることも考えられる。
【００４１】
しかして、上記実施の形態にかかる海上の操業体に対するコンテンツの供給システムによれば、海上において運搬船３から操業体１に電子化したコンテンツＣＴを受け渡すようにしたので、従来の新聞、雑誌などによる情報量に比較して大量の情報を受け渡すことができ、このことは、操業体１の従事者が発注したものより遙かに大量のコンテンツＣＴを提供することができ、上記従事者の潜在的な要求を満たすことができる。
【００４２】
また、電子化したコンテンツＣＴを操業体１の従事者に提供するため、新聞、雑誌などのような物品のように所定の容積、重量がなく、運搬に多大な労力を必要とすることがない。
【００４３】
さらに、衛星デジタル通信サービスを使用しないので、安価に、かつ、迅速に所望のコンテンツＣＴを入手することができる。
【００４４】
【実施例】
図５乃至図７は上記実施の形態にかかる具体的な実施例を説明するための概略図である。この実施例は、操業体１が漁船団ＦＦの漁船ＦＢであり、所定の操業とは漁業で、運搬船ＴＢが漁船団ＦＦの漁獲物を漁港ＦＰに運搬するとともに、漁船ＦＢに必要な生活物資を運搬するものについて説明する。
【００４５】
まず、このような漁船団方式の漁業の概要について説明する（図５参照）。
【００４６】
漁船団ＦＦは、海上にて漁獲物を収穫する複数の漁船ＦＢと、漁船ＦＢで収穫した漁獲物を漁港ＦＰに運搬するとともに、海上の各漁船ＦＢに生活物資を運搬する運搬船ＴＢとで構成される（図５参照）。
【００４７】
漁船団ＦＦは、各漁船ＦＢが海上において適宜離間した漁場で、各別に或いは共同して操業し、水産物を収穫する。収穫した漁獲物は漁船ＦＢから運搬船ＴＢに荷役され、漁獲物を満載した運搬船ＴＢは漁港ＦＰに運搬してこれを陸揚げする。陸揚げ時に、後述するように、生活物資とともに、電子化されたコンテンツＣＴを漁港ＦＰに設けられたコンピュータＣから受け取る（図６参照）。
【００４８】
次に、漁獲物を漁港ＦＰに陸揚げし、生活物資及び所望のコンテンツＣＴを積み込んだ運搬船ＴＢは、漁船団ＦＦが待つ海上に戻って、上記生活物資を各漁船ＦＢに受け渡すとともに、上記コンテンツＣＴの受け渡しを行う（図７参照）。
【００４９】
漁船団ＦＦが操業する漁場は、その操業する漁獲物によって異なり、たとえば、あじ・さばの巻網漁業の場合は、漁船ＦＢが漁港ＦＰから１日くらい離間した海上において約１ヶ月間操業する。そして、運搬船ＴＢは、海上の漁場と漁港ＦＰとを往復して、漁獲物及び生活物資の運搬を行う。なお、本発明はあじ・さばの巻網漁業に限らず、母船式のサケ・マス漁業、母船式のマグロのはえなわ漁業など遠洋の漁場において数ヶ月、或いは１年間くらいを海上において漁船ＦＢが操業するものにも適用できることは勿論である。
【００５０】
運搬船ＴＢは、通常２〜３隻で、漁船ＦＢが操業する海上の漁場と漁港ＦＰとの間を交互で往復する。運搬船ＴＢの隻数は漁船団ＦＦの規模、漁港ＦＰからその漁場までの距離などにより異なる。
【００５１】
そして、漁船団ＦＦのが目的とする操業、たとえば、あじ・さばの巻網漁業にあっては、漁場において各漁船ＦＢが収穫した漁獲物を海上にて運搬船ＴＢに移し替え、運搬船ＴＢが海上から漁港ＦＰに運搬する。漁港ＦＰにおいて、運搬船ＴＢは漁港ＦＰに運搬してきた漁獲物を陸揚げするとともに、海上の漁船ＦＢに必要な生活物資を積み込み、再び、漁船団ＦＦが操業する海上に戻る。
【００５２】
その規模にもよるが、通常、漁港ＦＰにおいて運搬船ＴＢから漁獲物を陸揚げするのに通常２時間くらい、また、海上において漁船ＦＢから運搬船ＴＢに漁獲物を移し替えるのにも２時間くらいを要する。
【００５３】
次に、港２において運搬船ＴＢがコンテンツＣＴを受け取る段階及び運搬船ＴＢのコンピュータ４にコンテンツＣＴを記憶する段階について具体的に説明する（図６参照）。
【００５４】
運搬船ＴＢが漁獲物を水揚げする港である漁港ＦＰの施設、たとえば、漁業協同組合（以下、「漁協」という。）ＦＣの施設には、コンピュータＣが設けられている。このコンピュータＣは、大量のコンテンツＣＴを記憶する必要があるため、記憶容量が大きく、また、高速なコンピュータであるワークステーション（ＷＳ：ｗｏｒｋ  ｓｔａｔｉｏｎ）が好適である。特に、複数の漁船団ＦＦに対してコンテンツＣＴを提供する場合にはさらに大量の情報量を取り扱うことになるため、ワークステーションＷＳが有効である。勿論、このコンピュータＣにいわゆるパーソナルコンピュータ（ＰＣ：ｐｅｒｓｏｎａｌ  ｃｏｍｐｕｔｅｒ）を用いても良いのは当然である。
【００５５】
また、上記港２としては漁港ＦＰに限らず、漁船団ＦＦの拠点の港である母港であっても良いことは勿論である。
【００５６】
このワークステーションＷＳには、種々のコンテンツＣＴ、たとえば、ニュース（一般ニュース、スポーツニュース、経済ニュースなど）、気象情報、水産庁からの情報、ＴＶ番組、映画、音楽、各種教材、電子ブック（ｅ−ｂｏｏｋ）などの不特定人を対象とするコンテンツＣＴの他、特定人向けの、電子メール（ｅ−ｍａｉｌ）、ビデオレターなどのコンテンツＣＴを電子化して記憶されている。なお、特定人向けのコンテンツＣＴについては、これらを提供する家族、友人などから預かり電子化してワークステーションＷＳに記憶することが考えられる。また、この他、各漁船ＦＢのパーソナルコンピュータＰＣのコンピュータウィルス感染を防止するため、ウィルスパターンファイルを上記コンテンツＣＴとして含めても良い。
【００５７】
また、運搬船ＴＢにも、コンピュータＣが設けられている。このコンピュータＣも、複数の漁船ＦＢが利用するコンテンツＣＴを記憶するため、記憶容量が大きく、また、高速なコンピュータであるワークステーションＷＳが好ましいが、勿論、パーソナルコンピュータＰＣであっても良いのは当然である。
【００５８】
そして、運搬船ＴＢが漁港ＦＰに寄港し、漁獲物を陸揚げしているときに、漁協ＦＣのワークステーションＷＳと運搬船ＴＢのパーソナルコンピュータＰＣとの間でＬＡＮを構築する。
【００５９】
あらかじめ、漁協ＦＣのワークステーションＷＳには所定のコンテンツＣＴが記憶されており、運搬船ＴＢのパーソナルコンピュータＰＣとの間でＬＡＮが構築されたときに、漁協ＦＣのワークステーションＷＳをサーバとして、運搬船ＴＢのパーソナルコンピュータＰＣに上記コンテンツＣＴが伝達される。
【００６０】
運搬船ＴＢのパーソナルコンピュータＰＣに伝達されたコンテンツＣＴは当該パーソナルコンピュータＰＣに即座に記憶される。
【００６１】
なお、漁協ＦＣのワークステーションＷＳと運搬船ＴＢのパーソナルコンピュータＰＣとの間で構築されるＬＡＮは無線型ＬＡＮでも良いし、また、有線型のＬＡＮであっても良い。
【００６２】
そして、上述したように、運搬船ＴＢから漁獲物を荷役するのに約２時間を要するため、その間に上記コンテンツＣＴの伝達を行う。なお、このとき、漁船ＦＢが必要とする生活物資も運搬船ＴＢに積み込まれる（図６参照）。
【００６３】
運搬船ＴＢのパーソナルコンピュータＰＣに記憶された上記コンテンツＣＴは運搬船ＴＢにより港２から漁船団ＦＦが待つ海上に運搬される。
【００６４】
次に、海上において漁船ＦＢが運搬船ＴＢからコンテンツＣＴを受け取る段階について具体的に説明する（図７参照）。
【００６５】
各漁船ＦＢには、パーソナルコンピュータＰＣが設けられている。なお、図面では漁船ＦＢ内に１つのパーソナルコンピュータＰＣを描画したが、各船員が各別のパーソナルコンピュータＰＣを所持するようにしても良い。
【００６６】
漁船団ＦＦが待つ海上に運搬船ＴＢが到着すると、運搬船ＴＢと漁船ＦＢとを接玄して、運搬してきた生活物資を漁船ＦＢに荷役するとともに、漁船ＦＢが収穫した漁獲物を運搬船ＴＢに荷役する（図７参照）。
【００６７】
また、このとき、運搬船ＴＢのパーソナルコンピュータＰＣと各漁船ＦＢのパーソナルコンピュータＰＣとの間でＬＡＮを構築する（図７参照）。
【００６８】
なお、運搬船ＴＢのパーソナルコンピュータＰＣと漁船ＦＢのパーソナルコンピュータＰＣとの間で構築されるＬＡＮは無線型ＬＡＮでも良いし、また、有線型のＬＡＮであっても良い。
【００６９】
また、ＬＡＮの形態としは、サーバ型ＬＡＮでも、Ｐｅｅｒ  ｔｏ  Ｐｅｅｒ型ＬＡＮであっても良い。漁船ＦＢが複数の場合にはＬＡＮの形態をサーバ型ＬＡＮとし、運搬船ＴＢのコンピュータＰＣをサーバコンピュータにし、各漁船ＦＢのコンピュータＰＣをクライアントにする。
【００７０】
そして、各漁船ＦＢは所望するコンテンツＣＴを運搬船ＴＢのパーソナルコンピュータＰＣから伝達することにより入手することができる。
【００７１】
なお、各コンテンツＣＴを入手する方法として、運搬船ＴＢのパーソナルコンピュータＰＣをサーバコンピュータとしてサイトを開設して、各漁船ＦＢのパーソナルコンピュータＰＣをクライアントコンピュータとして上記サーバコンピュータのサイトを閲覧するようにすることが考えられる。
【００７２】
このようにすることにより、各漁船ＦＢが所望するコンテンツＣＴのみを運搬船ＴＢのパーソナルコンピュータＰＣに対して要求して配信を受けることができる。また、特定人へのコンテンツＣＴについては、あらかじめ、ＩＤ（ｉｄｅｎｔｉｆｉｃａｔｉｏｎ）及び／又はパスワードを設定しておき、そのＩＤ及び／又はパスワードの入力により閲覧可能とすることが考えられる。
【００７３】
また、上記所望するコンテンツＣＴの配信を受けるときに、各漁船ＦＢ毎或いは、漁船ＦＢ内における各従事者毎に対して課金をするようにすることも考えられる。
【００７４】
なお、運搬船ＴＢのパーソナルコンピュータＰＣに記憶されたすべてのコンテンツＣＴを各漁船ＦＢのパーソナルコンピュータＰＣがダウンロードしてから、各個人ユースの段階で所望のコンテンツＣＴを入手するようにしても良い。
【００７５】
しかして、上記実施例にかかる漁船ＦＢに対するコンテンツＣＴの供給システムによれば、電子化したコンテンツＣＴを海上の漁船ＦＢに供給するため、大量の情報を海上まで運搬することができ、各漁船ＦＢの受注量以上の情報、すなわち、船員の潜在的な欲求をも満たすことができる量の情報を供給することができる。
【００７６】
また、そのために物理的な容積、重量を増やすことなく、運搬における労力の負担が増加させることもない。
【００７７】
さらに、衛星デジタル通信サービスを利用しないので、安価に、かつ、迅速に所望のコンテンツＣＴを入手することができる。
【００７８】
なお、上記実施例において、漁協ＦＣのワークステーションＷＳと運搬船ＴＢのパーソナルコンピュータＰＣとの間でＬＡＮを構築して接続し、電子化されたコンテンツＣＴの伝達を行うようにしたが、本発明はこれに限らず、たとえば、ＨＤＤ、ＤＶＤ、ＣＤなどの記録媒体に上記コンテンツＣＴを記憶させ、これを、運搬船ＴＢに積み込むようにしても良い。要は、本発明は電子化されたコンテンツＣＴを海上に運搬して、操業体１の従事者にＬＡＮを介して供給することにある。
【００７９】
【発明の効果】
上述したように、本発明海上の操業体に対するコンテンツの供給システムは、海上おいて所定の操業を行う操業体と、これら操業体が待つ海上と港との間を往復する運搬船とを備え、操業体及び運搬船にはコンピュータを各別に設け、運搬船が港に寄港したときに電子化されたコンテンツを情報伝達手段により受け取る段階と、該コンテンツを運搬船のコンピュータに記憶する段階と、海上において、運搬船のコンピュータと操業体のコンピュータとの間でＬＡＮを構築する段階と、該ＬＡＮにより、操業体が運搬船から上記コンテンツを受け取る段階とを、有することを特徴とする。
【００８０】
この本発明海上の操業体に対するコンテンツの供給システムによれば、海上において運搬船から操業体に電子化したコンテンツを受け渡すようにしたので、従来の新聞、雑誌などによる情報量に比較して大量の情報を受け渡すことができる。また、このことは、操業体の従事者が発注したものより遙かに大量のコンテンツを提供することができ、上記従事者は提示されたコンテンツの中から自分が欲するもののみを選択することができ、従事者の潜在的な欲求を満たすことができる。
【００８１】
また、別の本発明海上の操業体に対するコンテンツの供給システムは、海上おいて所定の操業を行う操業体と、これら操業体が待つ海上と港との間を往復する運搬船とを備え、操業体及び運搬船にはコンピュータを各別に設け、運搬船が港に寄港したときに電子化されたコンテンツを情報伝達手段により交換する段階と、該コンテンツを運搬船のコンピュータに記憶する段階と、海上において、運搬船のコンピュータと操業体のコンピュータとの間でＬＡＮ（Ｌｏｃａｌ  Ａｒｅａ  Ｎｅｔｗｏｒｋ）を構築する段階と、該ＬＡＮにより、操業体が運搬船から上記コンテンツを交換する段階とを、有することを特徴とする。
【００８２】
この別の本発明海上の操業体に対するコンテンツの供給システムによれば、従来の新聞、雑誌などによる情報量に比較して大量の情報を受け渡すことができ、操業体１の従事者が発注したものより遙かに大量のコンテンツを提示することができるため、上記従事者は提示されたコンテンツの中から自分が欲するもののみを選択することができ、従事者の潜在的な欲求を満たすことができるとともに、従事者側からも電子メール文、或いはデジタルカメラで撮影した画像データなどを運搬船のコンピュータに送信することができ、双方向の通信が可能となる。
【００８３】
また、電子化したコンテンツを操業体の従事者に提供するため、新聞、雑誌などのような物品のように所定の容積、重量がなく、運搬に多大な労力を必要とすることがない。
【００８４】
さらに、衛星デジタル通信サービスを使用しないので、安価に、かつ、迅速に所望のコンテンツを提供することができる。
【００８５】
海上で操業する操業体が漁船団の漁船であり、運搬船が主に漁船が収穫した漁獲物を港に運搬する運搬船であるようにすると、漁船の船員に対して大量のコンテンツを供給することができ、漁船内における生活環境の改善に貢献することができる。
【００８６】
運搬船が寄港する港に所定のコンピュータが設けられ、運搬船が港に寄港したときに、運搬船のコンピュータと港のコンピュータとの間でＬＡＮを構築し、該ＬＡＮが、運搬船が港において上記コンテンツを受け取る情報伝達手段であるようにすると、港に設けられたコンピュータと運搬船のコンピュータとの間でなされるコンテンツの伝達を容易に行うことができる。
【００８７】
運搬船が寄港した港において、運搬船のコンピュータと港のコンピュータとの間で構築されるＬＡＮが無線型ＬＡＮであるようにすると、港に設けられたコンピュータと運搬船のコンピュータとの間でなされるコンテンツの伝達をさらに容易に行うことができる。
【００８８】
海上において、運搬船のコンピュータと操業体のコンピュータとの間で構築されるＬＡＮが無線型ＬＡＮであるようにすると、運搬船に設けられたコンピュータと漁船のコンピュータとの間でなされるコンテンツの伝達を容易に行うことができる。
【００８９】
運搬船のコンピュータと漁船のコンピュータとの間で構築されるＬＡＮがサーバ型ＬＡＮであり、運搬船のコンピュータがサーバコンピュータとして、各漁船のコンピュータがクライアントコンピュータとしてそれぞれ機能し、上記サーバコンピュータにサイトを開設して、各クライアントコンピュータが上記サーバコンピュータのサイトを閲覧して、所定のコンテンツを受け取るようにすることにより、各漁船の船員が要求するコンテンツのみを伝達することができ、伝達する情報量の適正化を図ることができ、より迅速な伝達を行うことができる。
【図面の簡単な説明】
【図１】図２乃至図４とともに本発明海上の操業体に対するコンテンツの供給システムの実施の形態を説明するためのものであり、本図は全体構成を示す概略図である。
【図２】港において運搬船がコンテンツを受け取る様子を示す概念図である。
【図３】運搬船において、コンテンツを記憶する様子を示す概念図である。
【図４】海上において、操業体が運搬船からコンテンツを受け取る様子を示す概念図である。
【図５】図６及び図７とともに本発明海上の操業体に対するコンテンツの供給システムを漁船団方式の漁業におけるコンテンツの供給システムに適用した実施例を示すものであり、本図は全体構成を示す概略図である。
【図６】漁港における漁協から運搬船がコンテンツを受け取る様子を示す概念図である。
【図７】海上において、各漁船が運搬船からコンテンツを受け取る様子を示す概念図である。
【符号の説明】
１…操業体
２…港
３…運搬船
４…コンピュータ（運搬船）
５…コンピュータ（操業体）
ＦＦ…漁船団
ＦＢ…漁船
ＴＢ…運搬船
ＦＰ…漁港
ＣＴ…コンテンツ
Ｃ…コンピュータ
ＷＳ…ワークステーション
ＰＣ…パーソナルコンピュータ
【図１】
2005014770.tif 000003
【図２】
2005014770.tif 000004
【図３】
2005014770.tif 000005
【図４】
2005014770.tif 000006
【図５】
2005014770.tif 000007
【図６】
2005014770.tif 000008
【図７】
2005014770.tif 000009